(57)【特許請求の範囲】
【請求項１】
戸体に組み込まれる錠ケースに、戸幅方向に変位自在とされ戸幅方向の一端部が出没されるラッチ部材と、施錠状態において、突出状態とされた前記ラッチ部材の没入方向への移動を抑止するロック機構と、が設けられたラッチ錠装置であって、
前記ロック機構は、前記突出状態における前記ラッチ部材の戸幅方向の他端部とこの他端部が対向する前記錠ケースの戸先側に向く奥側内壁との間に、上下方向に変位自在とされ下方側に移動されたロック片部が配されて前記施錠状態とされる構成とされ、かつ、前記ロック片部に連結され、該ロック片部を上下方向に変位させる際に操作される施解錠部を備えており、
前記錠ケースは、前記ロック機構を戸厚方向両側から挟むように保持する戸厚方向に分割された樹脂製の第１ケースと第２ケースとが互いに係合されて組み合わされた構成とされ、かつ、前記ロック機構の保持が解除されるように、これら第１ケースと第２ケースとが変形して下方側に移動する前記施解錠部の下方側への移動を抑止するように前記施解錠部の下方側に設けられた落下防止壁を備えていることを特徴とするラッチ錠装置。
【請求項２】
戸体に組み込まれる錠ケースに、戸幅方向に変位自在とされ戸幅方向の一端部が出没されるラッチ部材と、施錠状態において、突出状態とされた前記ラッチ部材の没入方向への移動を抑止するロック機構と、が設けられたラッチ錠装置であって、
前記ロック機構は、前記突出状態における前記ラッチ部材の戸幅方向の他端部とこの他端部が対向する前記錠ケースの戸先側に向く奥側内壁との間に、上下方向に変位自在とされ下方側に移動されたロック片部が配されて前記施錠状態とされる構成とされ、
前記錠ケースは、前記ロック機構を戸厚方向両側から挟むように保持する戸厚方向に分割された樹脂製の第１ケースと第２ケースとが互いに係合されて組み合わされた構成とされ、かつ、これら第１ケース及び第２ケースにおける前記ラッチ部材の他端部が対向する前記奥側内壁に、戸先側に向けて突出する突部をそれぞれに設けた構成とされ、
前記ロック片部には、前記施錠状態において、前記第１ケース及び前記第２ケースの前記突部の戸厚方向への移動を抑止するように、これら突部を受け入れる受入凹所が設けられ、このロック片部の受入凹所の戸幅方向に沿う深さ寸法は、前記第１ケース及び前記第２ケースの前記突部の戸幅方向に沿う突出寸法よりも大とされていることを特徴とするラッチ錠装置。
【請求項３】
請求項１または２において、
前記ロック片部の戸厚方向両側には、戸厚方向外側に向けて突出する係合突起が設けられ、前記第１ケース及び前記第２ケースには、前記ロック片部の各係合突起を受け入れ、上下方向に変位する前記ロック片部をガイドするガイド溝が設けられており、
これら第１ケース及び第２ケースのガイド溝には、前記施錠状態とされた前記ロック片部の各係合突起の前記奥側内壁側への移動を許容する受入溝が一連状に設けられていることを特徴とするラッチ錠装置。
【請求項４】
請求項１乃至３のいずれか１項において、
前記ロック片部における前記奥側内壁に対面される部位と前記奥側内壁とは、前記施錠状態とされた前記ロック片部に前記奥側内壁側に押し付ける外力が作用した際に、前記ロック片部の下方側への移動を抑制するように互いに当接される構成とされていることを特徴とするラッチ錠装置。
【請求項５】
請求項１乃至４のいずれか１項に記載のラッチ錠装置と、このラッチ錠装置が組み込まれる収容凹所が戸先側端部に設けられた戸体と、を備えていることを特徴とする扉装置。
【発明の詳細な説明】
【技術分野】
【０００１】
本発明は、戸体に組み込まれるラッチ錠装置及びこれを備えた扉装置に関する。
【背景技術】
【０００２】
従来より、戸体の戸先側端部に埋込状に設けられる錠ケースに、ハンドル操作等によって戸幅方向に変位されて一端部のラッチヘッドが出没されるラッチ部材（ラッチボルト）を設けたラッチ錠装置が知られている。従来の一般的なラッチ錠装置の錠ケースは、戸厚方向に分割された金属製の筐体と蓋部材とからなり、内部に種々の部品を組み付けた状態でビス等の締結要素で結合一体化される構成とされ、部品点数が多くなるという問題があった。
例えば、下記特許文献１には、樹脂製の第１錠ケース及び第２錠ケースの互いの係合部を係合させて組み立てられる錠ケース内に、ラッチボルトやこのラッチボルトの移動を制限する施錠姿勢に切り替えられる施錠部材を組み込んだ錠が開示されている。この錠は、ラッチボルトと第１錠ケース及び第２錠ケースの後面側立壁部との間に、下方側に移動された施錠部材の施錠用挿入部材が位置し、この施錠用挿入部材によってラッチボルトの退避が防止され、施錠状態となる構成とされている。また、この錠は、第１錠ケース及び第２錠ケースの後面側立壁部の内側に、内側に向かって突出した突出部を設け、施錠用挿入部材の後端部に、施錠時にこれら突出部が重なった状態で挿入可能なように間隔を空けて施錠用係合片を設けた構成とされている。
【先行技術文献】
【特許文献】
【０００３】
【特許文献１】特開２０１４−１０５５１６号公報
【発明の概要】
【発明が解決しようとする課題】
【０００４】
上記特許文献１に記載された錠においては、第１錠ケース及び第２錠ケースの係合部同士の係合や、これらの突出部と施錠用挿入部材の施錠用係合片との係合によって第１錠ケースと第２錠ケースとの戸厚方向への分解の抑制が可能ではある。しかしながら、例えば、施錠時に、ラッチボルトを退入させる方向に過剰（異常）なハンドル操作がなされれば、ラッチボルトによって施錠用挿入部材が錠ケースの後面側立壁部に押し付けられ、錠ケースの破損や変形が生じることが考えられる。その結果、錠ケースに戸厚方向両側が保持された施錠部材が位置ずれしたり、施錠や解錠等がなされ難くなるなどの動作不良が生じることが考えられ、更なる改善が望まれる。
【０００５】
本発明は、上記実情に鑑みてなされたものであり、省部品化を図りながらも、動作不良を抑制し得るラッチ錠装置及びこれを備えた扉装置を提供することを目的としている。
【課題を解決するための手段】
【０００６】
上記目的を達成するために、本発明に係るラッチ錠装置は、戸体に組み込まれる錠ケースに、戸幅方向に変位自在とされ戸幅方向の一端部が出没されるラッチ部材と、施錠状態において、突出状態とされた前記ラッチ部材の没入方向への移動を抑止するロック機構と、が設けられたラッチ錠装置であって、前記ロック機構は、前記突出状態における前記ラッチ部材の戸幅方向の他端部とこの他端部が対向する前記錠ケースの戸先側に向く奥側内壁との間に、上下方向に変位自在とされ下方側に移動されたロック片部が配されて前記施錠状態とされる構成とされ、かつ、前記ロック片部に連結され、該ロック片部を上下方向に変位させる際に操作される施解錠部を備えており、前記錠ケースは、前記ロック機構を戸厚方向両側から挟むように保持する戸厚方向に分割された樹脂製の第１ケースと第２ケースとが互いに係合されて組み合わされた構成とされ、かつ、前記ロック機構の保持が解除されるように、これら第１ケースと第２ケースとが変形して下方側に移動する前記施解錠部の下方側への移動を抑止するように前記施解錠部の下方側に設けられた落下防止壁を備えていることを特徴とする。
【０００７】
また、上記目的を達成するために、本発明に係るラッチ錠装置は、戸体に組み込まれる錠ケースに、戸幅方向に変位自在とされ戸幅方向の一端部が出没されるラッチ部材と、施錠状態において、突出状態とされた前記ラッチ部材の没入方向への移動を抑止するロック機構と、が設けられたラッチ錠装置であって、前記ロック機構は、前記突出状態における前記ラッチ部材の戸幅方向の他端部とこの他端部が対向する前記錠ケースの戸先側に向く奥側内壁との間に、上下方向に変位自在とされ下方側に移動されたロック片部が配されて前記施錠状態とされる構成とされ、前記錠ケースは、前記ロック機構を戸厚方向両側から挟むように保持する戸厚方向に分割された樹脂製の第１ケースと第２ケースとが互いに係合されて組み合わされた構成とされ、かつ、これら第１ケース及び第２ケースにおける前記ラッチ部材の他端部が対向する前記奥側内壁に、戸先側に向けて突出する突部をそれぞれに設けた構成とされ、前記ロック片部には、前記施錠状態において、前記第１ケース及び前記第２ケースの前記突部の戸厚方向への移動を抑止するように、これら突部を受け入れる受入凹所が設けられ、このロック片部の受入凹所の戸幅方向に沿う深さ寸法は、前記第１ケース及び前記第２ケースの前記突部の戸幅方向に沿う突出寸法よりも大とされていることを特徴とする。
【０００８】
また、上記目的を達成するために、本発明に係る扉装置は、本発明に係るラッチ錠装置と、このラッチ錠装置が組み込まれる収容凹所が戸先側端部に設けられた戸体と、を備えていることを特徴とする。
【発明の効果】
【０００９】
本発明に係るラッチ錠装置及びこれを備えた扉装置は、上述のような構成としたことで、省部品化を図りながらも、動作不良を抑制することができる。
【図面の簡単な説明】
【００１０】
【図１】本発明の一実施形態に係るラッチ錠装置の一例を模式的に示し、（ａ）は、一部を省略した概略側面図、（ｂ）は、（ａ）におけるＸ１−Ｘ１線矢視に対応させた概略横断面図である。
【図２】（ａ）は、同ラッチ錠装置の一部を省略した概略側面図、（ｂ）は、（ａ）におけるＸ２−Ｘ２線矢視に対応させた概略横断面図である。
【図３】（ａ）は、同ラッチ錠装置の一部を省略した概略側面図、（ｂ）は、（ａ）におけるＸ３−Ｘ３線矢視に対応させた概略横断面図である。
【図４】同ラッチ錠装置の一部を省略した概略分解斜視図である。
【図５】（ａ）、（ｂ）は、同ラッチ錠装置の一部を省略した概略斜視図である。
【図６】（ａ）は、同ラッチ錠装置の概略斜視図、（ｂ）は、同ラッチ錠装置を構成する一部品の一例を模式的に示す概略側面（内側面）図である。
【図７】本発明の一実施形態に係る扉装置の一例を模式的に示す一部破断概略分解斜視図である。
【発明を実施するための形態】
【００１１】
以下に本発明の実施の形態について、図面に基づいて説明する。
図１〜図７は、本実施形態に係るラッチ錠装置及びこれを備えた扉装置の一例を模式的に示す図である。
なお、一部の図では、他図に付している詳細な符号の一部を省略している。
また、以下の実施形態では、ラッチ錠装置を戸体に組み込んだ状態を基準として、戸幅方向や戸厚方向を説明し、また、ラッチ錠装置を組み込んだ戸体が建て付けられた状態を基準として、上下方向等の方向を説明する。
【００１２】
本実施形態に係るラッチ錠装置１０は、図１及び図２に示すように、戸体２に組み込まれる錠ケース１１，２１に、戸幅方向に変位自在とされ戸幅方向の一端部（ラッチ頭部）３１が出没されるラッチ部材３０が設けられた構成とされている。また、ラッチ錠装置１０は、錠ケース１１，２１に、施錠状態において、突出状態とされたラッチ部材３０の没入方向への移動を抑止するロック機構４０が設けられた構成とされている。
本実施形態に係る扉装置１は、図７に示すように、本実施形態に係るラッチ錠装置１０と、このラッチ錠装置１０が組み込まれる収容凹所３が戸先側端部に設けられた戸体２と、を備えている。また、扉装置１は、戸体２を開閉する際に操作されるハンドル６，６を備えている。
【００１３】
この扉装置１の戸体２は、住居等の建物の壁体を貫通するように設けられた出入口を構成する開口に建て付けられる。また、戸体２は、出入口を区画するように設けられる戸枠の吊元側縦枠に、吊元側端部が蝶番等によって上下方向に沿う軸回りに回転自在に連結され、開き戸を構成する。また、戸枠には、閉鎖状態とされた戸体２の更なる閉鎖側（反開放側）への回転を抑止する戸当り等が設けられる。また、戸体２の自由端側となる戸先側端部に設けられたラッチ錠装置１０のラッチ頭部３１が戸枠の戸先側縦枠に設けられたラッチ受（ストライク）に挿入されて戸体２の閉鎖状態が維持される。一方、ラッチ頭部３１を没入させれば、ラッチ受との係合が解除されて戸体２の開放が可能となる。なお、戸体２が建て付けられる戸枠を含めて扉装置１として把握するようにしてもよい。
【００１４】
この戸体２は、上下方向に長尺な略矩形平板状とされ、戸先側端面において開口するように収容凹所３を設けた構成とされている。この収容凹所３は、戸幅方向に掘込状に形成されており、ラッチ錠装置１０の外郭形状に応じた形状とされている。図例では、戸先側の開口側部位３ａの上下方向に沿う寸法及び戸厚方向に沿う寸法を、奥側部位３ｂよりも大とし、開口側部位３ａの戸幅方向に沿う寸法（深さ寸法）を、奥側部位３ｂよりも小とした例を示している。つまり、収容凹所３は、開口側部位３ａが奥側部位３ｂよりも大径状とされた段付穴状とされている。
また、戸体２には、この収容凹所３に連通するように、かつ戸厚方向両面において開口するようにハンドル取付開口４，４（図７では、一方は不図示）が設けられている。これらハンドル取付開口４，４は、ラッチ錠装置１０が組み付けられた状態で、ラッチ錠装置１０の後記する軸挿通孔３５に戸厚方向に見て重なり合う位置となるように設けられている。
【００１５】
ハンドル６，６は、戸体２の戸先側端部の戸厚方向両側に設けられ、ラッチ錠装置１０のラッチ頭部３１を没入させる際に操作される。本実施形態では、これらハンドル６，６を、戸厚方向に沿う軸回りに回転自在とされた構成とし、これらの回転操作を伴いラッチ頭部３１の没入がなされる構成としている。また、これらハンドル６，６を、握部が細長棒状とされたレバーハンドルとしている。また、これらハンドル６，６には、レバー部の回転支点となる略円柱状の回転基部が設けられ、これら回転基部がハンドル取付開口４，４に嵌め込まれるように取り付けられる。また、これらハンドル６，６のうち、一方のハンドル６Ａの回転基部には、ラッチ錠装置１０の軸挿通孔３５に挿通される連結軸７が戸厚方向に延びるように設けられている。他方のハンドル６Ｂの回転基部には、この連結軸７の先端部が嵌め込まれる嵌合凹所８が戸厚方向に開口するように設けられている。
【００１６】
一方のハンドル６Ａの連結軸７は、四角柱状とされ、他方のハンドル６Ｂの嵌合凹所８は、この連結軸７に対応させて戸厚方向に見て略方形状とされた四角穴状とされている。
これらハンドル６，６は、ラッチ錠装置１０の軸挿通孔３５に挿通され、他方のハンドル６Ｂの嵌合凹所８に嵌め入れられた一方のハンドル６Ａの連結軸７の先端部に他方のハンドル６Ｂの基部を介して止着された（捩じ込まれた）ねじ等の止具によって組み付けられる構成としてもよい。
また、これらハンドル６，６の回転基部を受け入れ、戸体２の戸厚方向両面に固定されるハンドル用台座（取付座）を備えた構成としてもよい。この場合は、後記する施解錠部材９もハンドル用台座に取り付けられる構成としてもよい。なお、ハンドル６，６としては、レバーハンドルに限られず、丸ノブ（握玉）等、その他の形状のハンドルとしてもよい。
【００１７】
また、本実施形態では、扉装置１は、ラッチ錠装置１０のロック機構４０を施錠状態（ロック状態）及び解錠状態（ロック解除状態）とする施解錠部材９を備えている。このような施解錠部材９としては、キー操作される鍵穴を有したものや、回転操作するための摘み部（レバー部）を有したもの、適宜の治具で操作される非常解錠操作部を備えたもの等でもよい。図例では、戸厚方向一方側の施解錠部材９を、摘み部を有したものとし、ラッチ錠装置１０がいわゆる間仕切錠として機能する構成としている。この場合は、戸厚方向他方側に、非常解錠操作部を構成する施解錠部材を設けた構成としてもよく、また、施錠状態及び解錠状態を示す表示部を設け、ラッチ錠装置１０がいわゆる表示錠として機能するものとしてもよい。
戸体２には、戸厚方向両側の施解錠部材９，９（図７では、一方は不図示）が取り付けられる施解錠部材取付開口５，５（図７では、一方は不図示）が収容凹所３に連通するように、かつ戸厚方向両面において開口するように設けられている。これら施解錠部材取付開口５，５は、ラッチ錠装置１０が組み付けられた状態で、ラッチ錠装置１０の後記する施解錠連結部４２，４２に戸厚方向に見て重なり合う位置となるように設けられている。
【００１８】
ラッチ錠装置１０は、図４、図６（ａ）及び図７に示すように、戸厚方向に沿う寸法が比較的に小とされた薄型箱状の錠ケース１１，２１内に、ラッチ部材（ラッチボルト）３０及びロック機構４０を組み込んだ構成とされている。また、ラッチ錠装置１０は、錠ケース１１，２１内に、ハンドル６，６に連結されてラッチ部材３０を進退させる作動部を構成するハブ部材３４を組み込んだ構成とされている。また、ラッチ錠装置１０は、戸体２の収容凹所３の開口側部位３ａを覆うように、開口側部位３ａに嵌め込まれる前カバー２０を備えている。
【００１９】
前カバー２０は、戸幅方向に厚さ方向を沿わせて配される薄板状とされている。この前カバー２０は、戸体２に埋め込まれ、戸体２の戸先側端面において露出するラッチ錠装置１０の化粧部材として機能する。また、この前カバー２０の上下方向途中部位（図例では、上下方向略中央部位）には、板厚方向（戸幅方向）に貫通するようにラッチ部材３０のラッチ頭部３１が挿通されるラッチ挿通孔２０ａが設けられている。また、この前カバー２０の上下方向両端部には、戸体２に止着される（捩じ込まれる）ねじ等の止具の挿通孔が設けられている。また、この前カバー２０は、戸先側に向く面（戸先側面（表面））が戸体２の戸先側端面と略同一平面状となるように戸体２に取り付けられる構成とされている。この前カバー２０は、後記する錠ケース１１，２１と同様、樹脂製でもよいが、ステンレス等の金属製でもよい。
【００２０】
錠ケース１１，２１は、ロック機構４０を戸厚方向両側から挟むように保持する戸厚方向に分割された樹脂製の第１ケース１１と第２ケース２１とが互いに係合されて組み合わされた構成とされている。また、錠ケース１１，２１は、ロック機構４０の保持が解除されるように、これら第１ケース１１と第２ケース２１とが変形した際におけるロック機構４０の下方側への移動を抑止する落下防止壁２９を備えている（図５（ｂ）及び図６（ｂ）参照）。また、これら第１ケース１１及び第２ケース２１におけるラッチ部材３０の他端部３２が対向する奥側内壁１８，２８に、戸先側に向けて突出する突部１８ａ，２８ａをそれぞれに設けた構成とされている（図３（ｂ）参照）。
【００２１】
これら第１ケース１１及び第２ケース２１は、ポリアセタール（ＰＯＭ）や、ポリエチレンテレフタレート（ＰＥＴ）、ポリカーボネート（ＰＣ）等の合成樹脂系材料からそれぞれに一体的に形成されている。これら第１ケース１１及び第２ケース２１は、射出成形された樹脂成形品としてもよい。
また、戸厚方向に分割された第１ケース１１と第２ケース２１とは、戸厚方向に沿う方向となる互いに向き合う方向に向けて開口する薄型箱状とされ、これらの内方空間がラッチ部材３０やハブ部材３４、ロック機構４０等の後記する種々の部材の収容空間を構成する。本実施形態では、第１ケース１１の戸厚方向に沿う寸法（深さ寸法）を、第２ケース２１よりも大としている。
【００２２】
また、これら第１ケース１１及び第２ケース２１には、互いに係合してこれらの分解を抑制する複数の係合部１４ｂ，１５ａ，１６ａ，１７ａ，２４，２５ａ，２６ａ，２７ａが設けられている。本実施形態では、第１ケース１１と第２ケース２１とを、ねじ等の締結要素を用いずに、互いの係合部１４ｂ，１５ａ，１６ａ，１７ａ，２４，２５ａ，２６ａ，２７ａを係合させることで組み付けられる構成としている。
また、これら第１ケース１１及び第２ケース２１は、収容空間の戸厚方向両側を区画し、戸厚方向に厚さ方向を沿わせて配される薄板状のベース板部１２，２２を備えている。後記するラッチ部材３０やハブ部材３４、ロック機構４０は、これら戸厚方向両側のベース板部１２，２２によって戸厚方向両側から挟まれるように保持される。これらベース板部１２，２２は、戸厚方向に見て、略方形状とされている。
【００２３】
また、第１ケース１１は、ベース板部１２の四周に、戸先側を区画する前壁部１４と上側を区画する天壁部１５と下側を区画する底壁部１６と吊元側（奥側）を区画する奥側壁部１７とを設けた構成とされている。これら前壁部１４、天壁部１５、底壁部１６及び奥側壁部１７は、ベース板部１２の四周縁部から戸厚方向に向けて突出するように一連状に設けられている。
本実施形態では、この第１ケース１１の前壁部１４を、第２ケース２１の前壁部としても機能するものとしている。つまり、第２ケース２１には、前壁部を設けずに、ベース板部２２の上下及び奥側縁部に、上側を区画する天壁部２５と下側を区画する底壁部２６と吊元側（奥側）を区画する奥側壁部２７とを設けた構成としている。これら天壁部２５、底壁部２６及び奥側壁部２７は、ベース板部２２の上縁部、下縁部及び奥側縁部から戸厚方向に向けて突出するように一連状に設けられている。これら錠ケース１１，２１の天壁部１５，２５同士、底壁部１６，２６同士及び奥側壁部１７，２７同士は、錠ケース１１，２１が組み付けられた状態で、突出方向先端面同士が概ね全体に亘って突き合わせられる（当接される）。
【００２４】
第１ケース１１の前壁部１４は、戸幅方向に厚さ方向を沿わせて配される薄板状とされている。この前壁部１４は、第１ケース１１と第２ケース２１とが組み付けられた状態で、略直方体箱形状とされるケース本体部の戸先側端部の四周縁から鍔状に突出するように形成された鍔状部を有し、戸体２の収容凹所３の開口側部位３ａに受け入れられる構成とされている。この前壁部１４の戸先側に向く面に重ね合わせるように上記した前カバー２０が戸体２に取り付けられる。
また、前壁部１４の上下方向途中部位（図例では、上下方向略中央部位）には、板厚方向（戸幅方向）に貫通するように、ラッチ部材３０のラッチ頭部３１が挿通されるラッチ挿通孔１４ａが前カバー２０のラッチ挿通孔２０ａに整合するように設けられている。また、この前壁部１４の上下方向両端部には、前カバー２０の上下の挿通孔にそれぞれ整合するように、板厚方向に貫通する挿通孔が設けられている。
【００２５】
また、この前壁部１４のラッチ挿通孔１４ａの上下両側には、係合部を構成する係合凹部１４ｂ，１４ｂが設けられている。これら係合凹部１４ｂ，１４ｂは、吊元側（奥側）に向けて開口するように設けられている。図例では、これら係合凹部１４ｂ，１４ｂを、開口方向に見て（前壁部１４の板厚方向に見て）上下に長尺な略矩形状とした例を示している。なお、これら係合凹部１４ｂ，１４ｂは、前壁部１４を板厚方向に貫通するように設けられたものでもよい。
第２ケース２１のベース板部２２の戸先側端部には、係合部を構成する差込片部２４，２４が設けられている。これら差込片部２４，２４は、ベース板部２２の戸先側端面から戸先側に向けて突出するように、かつ第１ケース１１の前壁部１４の係合凹部１４ｂ，１４ｂに差し込み可能なように設けられている。この第２ケース２１のベース板部２２の戸先側端部の差込片部２４，２４を第１ケース１１の前壁部１４の係合凹部１４ｂ，１４ｂに差し込むことで、これら錠ケース１１，２１の戸先側端部同士の戸厚方向への分解が抑制される。
【００２６】
また、第１ケース１１の天壁部１５、底壁部１６及び奥側壁部１７には、係合部を構成する係止突起１５ａ，１６ａ，１７ａが設けられている。図例では、天壁部１５の戸先側部位の外側面に上方に向けて突出する係止突起１５ａを設け、底壁部１６の戸先側部位の外側面に下方に向けて突出する係止突起１６ａを設けた例を示している。また、奥側壁部１７の上下両側部位の外側面に吊元側に向けて突出する係止突起１７ａ，１７ａを設けた例を示している。
第２ケース２１の天壁部２５、底壁部２６及び奥側壁部２７には、係合部を構成する係止凹部２５ａ，２６ａ，２７ａ，２７ａが設けられている。これら係止凹部２５ａ，２６ａ，２７ａ，２７ａは、第１ケース１１に設けられた係止突起１５ａ，１６ａ，１７ａ，１７ａにそれぞれ係止可能なように、これら係止突起１５ａ，１６ａ，１７ａ，１７ａに対応する位置となるように設けられている。
【００２７】
つまり、天壁部２５の戸先側部位に下方に向けて開口する係止凹部２５ａを設け、底壁部２６の戸先側部位に上方に向けて開口する係止凹部２６ａを設けた例を示している。また、奥側壁部２７の上下両側部位に戸先側に向けて開口する係止凹部２７ａ，２７ａを設けた例を示している。また、図例では、第２ケース２１の天壁部２５及び底壁部２６の戸先側部位並びに奥側壁部２７の上下両側部位に、戸厚方向に突出する薄板状の突片部を設け、これら突片部を貫通させるように係止凹部２５ａ，２６ａ，２７ａ，２７ａを設けた例を示している。
これら第１ケース１１の係止突起１５ａ，１６ａ，１７ａ，１７ａと第２ケース２１の係止凹部２５ａ，２６ａ，２７ａ，２７ａとを互いに係止させることで、錠ケース１１，２１の上端部同士、下端部同士及び吊元側端部同士の戸厚方向への分解が抑制される。
【００２８】
また、本実施形態では、第１ケース１１の奥側壁部１７の上下方向途中部位及び第２ケース２１の奥側壁部２７の上下方向途中部位に、戸厚方向に係合する係合部としての係合凹部１７ｂと係合突起２７ｂとを設けた構成としている。図例では、第１ケース１１の奥側壁部１７の突き合わせ面に、戸厚方向に向けて開口する係合凹部１７ｂを設け、第２ケース２１の奥側壁部２７の突き合わせ面に、戸厚方向に向けて突出する係合突起２７ｂを設けた例を示している。これら係合凹部１７ｂと係合突起２７ｂとを係合させることで、錠ケース１１，２１の奥側壁部１７，２７の上下方向途中部位同士の戸厚方向両面に平行な方向への位置ずれ等が抑制される。
【００２９】
また、これら第１ケース１１の奥側壁部１７及び第２ケース２１の奥側壁部２７の戸先側に向く奥側内壁１８，２８に、図３（ｂ）に示すように、戸先側に向けて突出するように突部１８ａ，２８ａがそれぞれに設けられている。
これら突部１８ａ，２８ａは、奥側内壁１８，２８の上下方向の全体に亘って設けてもよいが、本実施形態では、奥側内壁１８，２８の上下方向途中部位（図例では、上下方向略中央部）のみに設けた構成としている。これら突部１８ａ，２８ａは、後記するラッチ部材３０の他端部３２の吊元側に位置するように設けられている。つまり、これら突部１８ａ，２８ａは、戸幅方向に見て、ラッチ部材３０の他端部３２に重なり合う位置となるように設けられている。
また、これら突部１８ａ，２８ａを、各奥側壁部１７，２７の突き合わせ側となる先端部に設けた構成としている。つまり、ベース板部１２，２２との間に戸厚方向に沿う隙間を設けるように、これら突部１８ａ，２８ａを設けた構成としている。つまりは、これら突部１８ａ，２８ａ、ベース板部１２，２２及び奥側壁部１７，２７によって戸先側に向けて開口する係合凹所が区画される。
【００３０】
また、各奥側壁部１７，２７が突き合わせられた状態で、突部１８ａ，２８ａの戸厚方向に向く対向側面同士が突き合わせられる（当接される）構成としている。
また、本実施形態では、各ケース１１，２１の奥側壁部１７，２７における突部１８ａ，２８ａが設けられた部位のベース板部１２，２２からの戸厚方向に沿う寸法を、互いに略同寸法としている。つまり、図４に示すように、第１ケース１１の奥側壁部１７の上下方向略中央部の戸厚方向に沿う寸法を、その上下両側部位よりも小とし、第２ケース２１の奥側壁部２７の上下方向略中央部の戸厚方向に沿う寸法を、その上下両側部位よりも大としている。
また、各ケース１１，２１の奥側壁部１７，２７における突部１８ａ，２８ａが設けられた部位の厚さ寸法を、互いに略同寸法とし、かつベース板部１２，２２の厚さ寸法よりも大としている。
【００３１】
また、各ケース１１，２１のベース板部１２，２２における突部１８ａ，２８ａ近傍部位となる吊元側端部の上下方向略中央部の厚さ寸法を、互いに略同寸法とし、かつベース板部１２，２２の他の部位よりも大としている。図例では、各ケース１１，２１のベース板部１２，２２の吊元側端部の上下方向略中央部を、他の部位よりも戸厚方向外側に向けて突段部状に突出させて他の部位よりも厚さを大とした例を示している。また、各ケース１１，２１のベース板部１２，２２の吊元側端部の上下方向略中央部に、厚さ方向に貫通する貫通孔を設けた構成としている。これら貫通孔は、戸厚方向に見て、上下方向に長尺な略矩形孔状とされ、各ケース１１，２１の突部１８ａ，２８ａと重なり合うように設けられている。なお、このような貫通孔を設けないようにしてもよい。
【００３２】
また、これら突部１８ａ，２８ａの戸先側に向く突出方向先端面は、前カバー２０の戸先側面に略平行な平坦面状とされている。また、各ケース１１，２１の突部１８ａ，２８ａの戸幅方向に沿う突出寸法Ｄ１を、互いに略同寸法としている。つまり、これら突部１８ａ，２８ａの突出方向先端面は、錠ケース１１，２１が組み付けられた状態で、互いに略同一平面状となる構成とされている。
また、これら突部１８ａ，２８ａの戸厚方向両側面は、戸体２の戸厚方向両面に略平行な平坦面状とされている。また、各ケース１１，２１の突部１８ａ，２８ａの戸厚方向に沿う幅寸法を、互いに略同寸法としている。また、各ケース１１，２１の突部１８ａ，２８ａの上下寸法を、互いに略同寸法としている。これら突部１８ａ，２８ａの突出寸法Ｄ１、幅寸法及び上下寸法は、これら自体の強度や、後記するロック片部４５の受入凹所４９に対する係合強度等の観点、薄型化を図る観点等から適宜の寸法としてもよい。
【００３３】
これら突部１８ａ，２８ａによって、各突部１８ａ，２８ａのベース板部１２，２２側には、戸厚方向に沿う幅寸法が互いに略同寸法とされ、戸幅方向に沿う深さ寸法（Ｄ１）が互いに略同寸法とされた係合凹所が形成される。各ケース１１，２１の係合凹所の底面を構成する奥側内壁１８，２８は、前カバー２０の戸先側面に略平行な平坦面状とされ、かつ錠ケース１１，２１が組み付けられた状態で、互いに略同一平面状となる構成とされている。
なお、図例では、これら突部１８ａ，２８ａの下端側を、他の部位よりも厚さが大とされた係合凹部１７ｂ及び係合突起２７ｂが設けられた部位に一連状に設けた例を示しているが、このような態様に限られない。
また、各ケース１１，２１における後記するラッチ部材３０やハブ部材３４、ロック機構４０に関連する他の具体的構成については、これらの説明とともに後記する。
【００３４】
ラッチ部材３０は、戸幅方向に長尺状とされ、戸幅方向の一端部がラッチ頭部（ラッチヘッド）３１とされ、戸幅方向の他端部がハブ部材３４に係合される被係合部３２とされている。ラッチ頭部３１は、戸体２の開放方向先側（反戸当り側）に向く面が戸体２の戸厚方向両面に対して略平行な平坦面状の係止面とされている。また、ラッチ頭部３１は、戸体２の開放方向後側（戸当り側）に向く面が戸体２の戸幅方向外方側に向かうに従い係止面側に傾斜または湾曲したガイド面（滑り面）とされている（図１（ｂ）等も参照）。
【００３５】
被係合部３２は、ラッチ頭部３１の基端側（吊元側）に設けられた戸幅方向に延びる棒状部の吊元側端部に鍔状（円板状）に設けられている。この被係合部３２の吊元側に向く面は、前カバー２０の戸先側面に略平行な平坦面状とされている。
また、ラッチ錠装置１０には、このラッチ部材３０を突出方向に付勢するラッチ付勢部材３３が設けられている。図例では、ラッチ付勢部材３３を、ラッチ頭部３１の基端側の棒状部に外装された圧縮コイルばねとしている。錠ケース１１，２１には、ラッチ部材３０の棒状部を挿通させるように受け入れる一方、ラッチ付勢部材３３の吊元側端部の吊元側への移動を抑止する当接壁部１２ｅ，２２ｅが設けられている（図１等も参照）。このように吊元側への移動が抑止されたラッチ付勢部材３３は、その戸先側端部がラッチ頭部３１の基端側に当接してラッチ頭部３１を突出させる方向にラッチ部材３０を付勢する構成とされている。
【００３６】
また、本実施形態では、このラッチ部材３０を、錠ケース１１，２１の上下方向略中央部位において戸幅方向に変位自在に設けた構成としている。
また、ラッチ部材３０は、図１に示すように、突出状態とされたラッチ頭部３１の係止面が、戸先側縦枠のラッチ受の内壁に係止して戸体２の開放側への回転を抑制する構成とされている。
また、ラッチ部材３０は、ハンドル６，６が開放側に回転されたり、没入方向への外力等が作用すれば、図２に示すように、ラッチ付勢部材３３の付勢に抗して（圧縮変形を伴い）ラッチ頭部３１が没入する構成とされている。図例では、没入状態において、ラッチ頭部３１の先端部が前カバー２０の戸先側面から僅かに突出しているような例を示しているが、ラッチ頭部３１の全体が没入する構成とされたものでもよい。また、このラッチ部材３０を、ラッチ部材３０の長手方向に沿う軸回りに回転させることで、係止面の向きの変更が可能とされたものとしてもよい。
【００３７】
ハブ部材３４は、ハンドル６，６の回転操作を伴いラッチ部材３０を没入させる構成とされている。このハブ部材３４には、ハンドル６，６の連結軸７が挿通される軸挿通孔３５が戸厚方向に貫通するように設けられている。この軸挿通孔３５は、連結軸７に対応させて戸厚方向に見て略方形状とされた四角孔状とされている。また、ハブ部材３４の軸挿通孔３５が設けられた部位は、図１（ａ）及び図４に示すように、戸厚方向に見た外郭形状が概ね円形状で、戸厚方向両側に突出する突段部状とされ、錠ケース１１，２１の戸厚方向両面において露出する構成とされている。錠ケース１１，２１のベース板部１２，２２には、ハブ部材３４の戸厚方向両側の突段部状とされた部位が嵌め込まれ、ハブ部材３４を戸厚方向に沿う軸回りに回転自在に保持するハブ保持孔１２ａ，２２ａが設けられている。これらハブ保持孔１２ａ，２２ａは、各ベース板部１２，２２を厚さ方向に貫通するように、かつ戸厚方向に見て、互いに重なり合う位置となるように設けられている。
【００３８】
また、ハブ部材３４の戸厚方向両側の突段部状とされた部位を除いた基部の戸厚方向に沿う寸法は、錠ケース１１，２１のベース板部１２，２２の戸厚方向に向く両内面間の寸法に応じた寸法とされている。このような構成により、ハブ部材３４は、錠ケース１１，２１に戸厚方向両側から挟まれて保持される構成とされている。
また、ハブ部材３４には、ラッチ部材３０の被係合部３２に係合する係合部３６が設けられている。係合部３６は、ラッチ部材３０の棒状部を受け入れるように戸厚方向に間隔を空けて対状に設けられており、鍔状とされたラッチ部材３０の被係合部３２に係合し、この被係合部３２を吊元側となる退入方向に変位させる構成とされている。図例では、係合部３６を、ラッチ部材３０の下方側に位置するように設けられたハブ部材３４の軸挿通孔３５が設けられた部位（基部）から上方側に向けて突出するように設けられたアーム状としている。
【００３９】
また、ラッチ錠装置１０には、ラッチ部材３０を没入させる方向に回転されたハブ部材３４（ハンドル６，６）を平常状態（被係合部３２が戸先側に位置する状態）に復帰させる方向に付勢する復帰付勢部材３９が設けられている。図例では、復帰付勢部材３９を、ラッチ部材３０の下方側において戸幅方向に伸縮される圧縮コイルばねとしている。この復帰付勢部材３９の戸先側端部は、錠ケース１１，２１の前壁部１４に当接されて戸先側への移動が抑止されている。錠ケース１１，２１には、この復帰付勢部材３９が伸縮自在となるように、この復帰付勢部材３９の戸先側端部を保持する適宜の保持部が設けられている。また、この復帰付勢部材３９の吊元側端部には、戸幅方向に変位自在とされたスライド体３８が取り付けられている。このスライド体３８には、戸先側に向けて開口し、復帰付勢部材３９の吊元側端部を受け入れる凹所が設けられている。
【００４０】
また、スライド体３８の戸厚方向両側には、戸厚方向両側に突出する突段部３８ａ，３８ａが設けられている。錠ケース１１，２１のベース板部１２，２２には、スライド体３８の戸厚方向両側の突段部３８ａ，３８ａを戸幅方向にスライド自在に受け入れる戸幅方向に延びるように長尺状とされたガイド溝１２ｃ，２２ｃが設けられている。これらガイド溝１２ｃ，２２ｃは、各ベース板部１２，２２を厚さ方向に貫通するように、かつ戸厚方向に見て、互いに重なり合う位置となるように設けられている。また、スライド体３８の突段部３８ａ，３８ａを除いた部位の戸厚方向に沿う寸法は、錠ケース１１，２１のベース板部１２，２２の戸厚方向に向く両内面間の寸法に応じた寸法とされている。また、錠ケース１１，２１には、スライド体３８の上下両側面に当接または近接されるガイド壁部が設けられている。図例では、下側のガイド壁部を、第１ケース１１の底壁部１６とした例を示している。
【００４１】
また、ハブ部材３４には、このスライド体３８が当接されて吊元側に付勢される受部３７が設けられている。受部３７は、ハブ部材３４の軸挿通孔３５が設けられた部位（基部）から下方側に向けて突出するように設けられている。この受部３７は、錠ケース１１，２１の吊元側を区画する奥側壁部１７，２７に当接されて吊元側への移動が抑止される。ハブ部材３４は、この受部３７が奥側壁部１７，２７に当接された状態が平常状態とされ、この状態では、受部３７が復帰付勢部材３９によって吊元側に付勢されたスライド体３８と奥側壁部１７，２７とに挟まれた状態となる。一方、ハンドル６，６の回転を伴いハブ部材３４が回転されれば、復帰付勢部材３９の付勢に抗して（圧縮変形を伴い）受部３７及びこれに押されるスライド体３８が戸先側に移動するように変位する構成とされている。なお、受部３７の奥側壁部１７，２７に対する当接に加え、係合部３６が当接壁部１２ｅ，２２ｅに当接することでハブ部材３４（ハンドル６，６）が平常状態に維持、つまり、ハンドル６，６の反開放側への更なる回転が抑制されるものとしてもよい。
【００４２】
ロック機構４０は、上下方向に変位自在とされたロック片部４５を備えている。また、ロック機構４０は、図３（ａ）に示すように、突出状態におけるラッチ部材３０の被係合部３２とこの被係合部３２が対向する錠ケース１１，２１の戸先側に向く奥側内壁１８，２８との間に、下方側に移動されたロック片部４５が配されて施錠状態とされる構成とされている。このロック機構４０は、図１（ａ）に示すように、解錠状態においてラッチ部材３０の上方側に位置するように配される構成とされている。この解錠状態では、ラッチ部材３０の被係合部３２と錠ケース１１，２１の奥側内壁１８，２８（突部１８ａ，２８ａの先端面）との間に、ラッチ部材３０の没入方向への移動を許容する空間が形成される。
また、ロック機構４０には、ロック片部４５を上下方向に変位させる施解錠部４１が設けられている。本実施形態では、施解錠部４１とロック片部４５とを別体としている。また、施解錠部４１が戸厚方向に沿う軸回りに回転されてロック片部４５が上下方向に変位する構成としている。
【００４３】
施解錠部４１は、図１（ａ）及び図３（ａ）に示すように、ハブ部材３４の上方側に位置するように配される構成とされ、上記した施解錠部材９に連結されて施解錠部材９の操作を伴い戸厚方向に沿う軸回りに回転する構成とされている（図７も参照）。この施解錠部４１には、図４及び図５に示すように、戸厚方向両側に突段部状に突出し、戸厚方向に見て略円形状とされた施解錠連結部４２，４２が設けられている。これら施解錠連結部４２，４２が錠ケース１１，２１に回転自在に保持され、施解錠部４１の戸厚方向に沿う軸部を構成する。また、これら施解錠連結部４２，４２は、錠ケース１１，２１の戸厚方向両面において露出する構成とされている。錠ケース１１，２１のベース板部１２，２２には、これら施解錠連結部４２，４２が嵌め込まれ、施解錠部４１を戸厚方向に沿う軸回りに回転自在に保持する施解錠部保持孔１２ｂ，２２ｂが設けられている。これら施解錠部保持孔１２ｂ，２２ｂがロック機構４０の保持部として機能する。また、これら施解錠部保持孔１２ｂ，２２ｂは、各ベース板部１２，２２を厚さ方向に貫通するように、かつ戸厚方向に見て、互いに重なり合う位置となるように設けられている。
【００４４】
また、これら施解錠連結部４２，４２よりも大径状となるように略円柱状とされた施解錠部４１の基部の戸厚方向に沿う寸法（施解錠連結部４２，４２を除いた部位の寸法）は、錠ケース１１，２１のベース板部１２，２２の戸厚方向に向く両内面間の寸法に応じた寸法とされている。このような構成により、施解錠部４１は、錠ケース１１，２１に戸厚方向両側から挟まれて保持される構成とされている。
また、これら施解錠連結部４２，４２には、施解錠部材９が連結される連結凹所が設けられている。
なお、これら施解錠連結部４２，４２を、錠ケース１１，２１の戸厚方向両面と略同一平面状となるように設けた構成としてもよく、錠ケース１１，２１の戸厚方向両面よりも僅かに戸厚方向外側に突出するように設けた構成としてもよい。また、図例では、これら施解錠連結部４２，４２を、戸厚方向に見て、ハブ部材３４の軸挿通孔３５の略直上に位置するように設けた例を示している。
【００４５】
また、施解錠部４１には、ロック片部４５の上端側に連結され、ロック片部４５を回転自在に保持するロック保持片部が設けられている。このロック保持片部は、施解錠部４１の略円柱状とされた基部から径方向に突出するように設けられている。
このロック保持片部は、図１（ａ）に示すように、解錠状態において、施解錠部４１の基部から吊元側に突出するように配される構成とされている。このように、施解錠部４１が解錠状態とされれば、ロック保持片部は、錠ケース１１，２１内の上端かつ吊元側の入隅部に位置付けられる構成とされている。また、ロック保持片部は、図３（ａ）に示すように、施錠状態において、施解錠部４１の基部から下方側に突出するように配される構成とされている。つまり、このロック保持片部は、施解錠部４１が解錠状態から施錠状態とされれば、錠ケース１１，２１内の上端かつ吊元側の入隅部から戸先側の斜め下方側に向けて施解錠連結部４２，４２回りに円弧を描くように変位する。
【００４６】
また、図４及び図５（ａ）に示すように、ロック保持片部を、施解錠部４１の基部の戸厚方向一方側部位から径方向に突出させるように設けた例を示している。
また、施解錠部４１とロック片部４５とは、別体とされた軸部材によって互いに回転自在に連結されたものとしてもよいが、本実施形態では、一方に一体的に連結軸部４６を設け、他方にこれを受け入れる軸受孔４３を設けた構成としている。また、本実施形態では、施解錠部４１のロック保持片部に、後記するロック片部４５に設けられた連結軸部４６が回転自在に挿通される軸受孔４３を設けた構成としている。また、図５（ａ）に示すように、この軸受孔４３を、ロック保持片部に戸厚方向に貫通するように設け、戸厚方向に見て、略円形孔状とした構成としている。また、この軸受孔４３の内周壁に、軸心（孔中心）側に向けて開口するように、戸厚方向に延びるキー溝状の細溝４３ａを軸受孔４３の軸方向の全体に亘って設けた構成としている。
【００４７】
また、ラッチ錠装置１０は、図１（ａ）及び図３（ａ）に示すように、施錠状態及び解錠状態とされた施解錠部４１をそれぞれの状態（姿勢）に維持する姿勢維持部材１９を備えている。本実施形態では、姿勢維持部材１９を、一方のアーム端が錠ケース１１，２１に回転自在に連結され、他方のアーム端が施解錠部４１に回転自在に連結されたねじりコイルばね（トーションばね）としている。錠ケース１１，２１には、姿勢維持部材１９の一方のアーム端に戸厚方向に貫通するように設けられた挿通孔に挿通される戸厚方向に突出する連結突起１２ｄが設けられている（図４も参照）。図例では、この連結突起１２ｄを、施解錠連結部４２，４２の戸先側の斜め下方側に位置するように設けた例を示している。また、図例では、この連結突起１２ｄを、第１ケース１１のベース板部１２の内面から戸厚方向に突出させるように設けた例を示している。また、この連結突起１２ｄの先端部に、小径状とされた係合突部を設けた例を示している。また、第２ケース２１のベース板部２２に、この連結突起１２ｄの係合突部が嵌め込まれれる係合凹部２２ｄを設けた例を示している（図４参照）。この係合凹部２２ｄは、戸厚方向に見て、連結突起１２ｄの係合突部に重なり合う位置となるように設けられている。また、図例では、この係合凹部２２ｄを、ベース板部２２を厚さ方向に貫通させるように設けた例を示している。
【００４８】
また、施解錠部４１には、姿勢維持部材１９の他方のアーム端が連結されるばね連結片部が設けられている。このばね連結片部は、施解錠部４１の略円柱状とされた基部から径方向に突出するように、かつ上記したロック保持片部と周方向で異なる位置となるように設けられている。図例では、ばね連結片部とロック保持片部とを、施解錠部４１の基部に周方向で略９０度ずれた位置となるように設けた例を示している。
このばね連結片部は、図１（ａ）に示すように、解錠状態において、施解錠部４１の基部から下方側に突出するように配される構成とされている。また、ばね連結片部は、図３（ａ）に示すように、施錠状態において、施解錠部４１の基部から戸先側に突出するように配される構成とされている。このように、施解錠部４１が施錠状態とされれば、ばね連結片部は、錠ケース１１，２１内の上端に位置付けられる構成とされている。つまり、このばね連結片部は、施解錠部４１が解錠状態から施錠状態とされれば、施解錠部４１の基部の下方側位置から戸先側の斜め上方側に向けて施解錠連結部４２，４２回りに円弧を描くように変位する。
【００４９】
また、施解錠部４１のばね連結片部には、図５（ｂ）に示すように、姿勢維持部材１９の他方のアーム端に戸厚方向に貫通するように設けられた挿通孔に挿通される戸厚方向に突出する連結突起４４が設けられている。この連結突起４４は、施解錠部４１のばね連結片部から第１ケース１１のベース板部１２側に向けて突出するように設けられている。第１ケース１１のベース板部１２には、このばね連結片部の連結突起４４を受け入れ、上記のように円弧を描くように変位するばね連結片部の連結突起４４をガイドする戸厚方向に見て円弧状に形成されたガイド溝が設けられている。図例では、ベース板部１２の内面側に凹溝状にガイド溝を設けた例を示している。
上記のように錠ケース１１，２１及び施解錠部４１に連結された姿勢維持部材１９は、図１（ａ）に示すように、解錠状態とされた施解錠部４１を解錠状態に維持するように、施解錠部４１のばね連結片部を概ね吊元側となる方向に向けて付勢する構成とされている。また、姿勢維持部材１９は、図３（ａ）に示すように、施錠状態とされた施解錠部４１を施錠状態に維持するように、施解錠部４１のばね連結片部を概ね上方側となる方向に向けて付勢する構成とされている。
【００５０】
なお、この姿勢維持部材１９は、解錠状態及び施錠状態へ操作される施解錠部４１を操作する際に、節度感（クリック感）を付与し得る構成とされたものとしてもよい。
また、姿勢維持部材１９の両アーム端に、錠ケース１１，２１及び施解錠部４１の連結突起１２ｄ，４４が挿通される挿通孔を設けた態様に代えて、姿勢維持部材１９の両アーム端に、戸厚方向に突出する連結突起を設けた態様としてもよい。この場合は、錠ケース１１，２１及び施解錠部４１に、挿通凹部や挿通孔等を設けた構成としてもよい。また、姿勢維持部材１９としては、ねじりコイルばねに限られず、板ばね等の他のばね部材や、ばね部材に限られず、弾性的に変形可能とされたその他の部材からなるものとしてもよい。
【００５１】
ロック片部４５は、上端側に施解錠部４１との連結部としての連結軸部４６を設けた構成とされている。この連結軸部４６は、戸厚方向一方側に向けて突出するように設けられている。また、この連結軸部４６の突出方向先端部には、径方向に向けて突出し、上記した施解錠部４１の軸受孔４３の細溝４３ａに挿入可能とされた抜止突起４６ａが設けられている。この抜止突起４６ａを細溝４３ａに整合させれば、軸受孔４３への連結軸部４６の挿通が可能となる。また、先端部が軸受孔４３の戸厚方向一方側に露出するように連結軸部４６を軸受孔４３に挿通させ、抜止突起４６ａが細溝４３ａに整合しないように連結軸部４６回りにロック片部４５と施解錠部４１とを相対的に回転させれば、抜止突起４６ａによる抜止がなされる。つまり、抜止突起４６ａが施解錠部４１の軸受孔４３の細溝４３ａが設けられた部位以外の孔縁に係止し、軸受孔４３に対する連結軸部４６の戸厚方向他方側への移動が抑止される。
【００５２】
また、上記のように抜止突起４６ａによる抜止がなされた状態で、ロック片部４５の上端部における連結軸部４６周囲の戸厚方向一方側に向く面と、施解錠部４１のロック保持片部の戸厚方向他方側に向く面と、が当接または近接される構成とされている。このような構成により、ロック片部４５の上端部と施解錠部４１のロック保持片部とは、互いの戸厚方向への移動が抑制された状態で回転自在に連結されている。
また、このロック片部４５の連結軸部４６の抜止突起４６ａと施解錠部４１の軸受孔４３の細溝４３ａとは、解錠状態と施錠状態との間をロック機構４０が変位する際に、戸厚方向に見て整合しないように設けられている（図１（ａ）及び図３（ａ）参照）。
また、ロック片部４５の連結軸部４６の戸厚方向一方側面となる先端面からロック片部４５の上端部の戸厚方向他方側面までの戸厚方向に沿う寸法は、錠ケース１１，２１のベース板部１２，２２の戸厚方向に向く両内面間の寸法に応じた寸法とされている。
【００５３】
また、本実施形態では、ロック片部４５の戸厚方向両側に、戸厚方向外側に向けて突出する係合突起４７，４７を設けた構成としている。また、ロック片部４５の下端部における戸幅方向略中央部の戸厚方向両側に、係合突起４７，４７を設けた構成としている。また、これら係合突起４７，４７は、戸厚方向で互いに重なり合う位置となるように設けられ、戸厚方向に見て、略円柱状とされている。これら係合突起４７，４７の周囲を含むロック片部４５の下方側部位の戸厚方向に沿う寸法は、錠ケース１１，２１のベース板部１２，２２の戸厚方向に向く両内面間の寸法に応じた寸法とされている。錠ケース１１，２１には、このロック片部４５の各係合突起４７，４７を受け入れ、上下方向に変位するロック片部４５をガイドするガイド溝１３，２３が設けられている。また、本実施形態では、錠ケース１１，２１の各ガイド溝１３，２３に、施錠状態とされたロック片部４５の各係合突起４７，４７の奥側内壁１８，２８側への移動を許容する受入溝１３ａ，２３ａを一連状に設けた構成としている。
【００５４】
これらガイド溝１３，２３は、錠ケース１１，２１の各ベース板部１２，２２を厚さ方向に貫通するように、かつ戸厚方向に見て、互いに重なり合う位置となるように設けられている。ロック片部４５の係合突起４７，４７は、各ベース板部１２，２２を厚さ方向に貫通するように形成されたガイド溝１３，２３に挿通され、錠ケース１１，２１の戸厚方向両面において露出する構成とされている。これら係合突起４７，４７の突出寸法は、錠ケース１１，２１の戸厚方向両面から大きく突出しないように適宜の寸法としてもよい。図例では、係合突起４７，４７の突出寸法を、係合突起４７，４７が錠ケース１１，２１の戸厚方向両面から僅かに突出するような寸法とした例を示しているが、このような態様に限られない。
また、これらガイド溝１３，２３は、ロック片部４５の係合突起４７，４７を上下方向にガイドするように、上下方向に延びるように設けられている。これらガイド溝１３，２３の溝幅（受入溝１３ａ，２３ａが設けられた部位以外の戸幅方向に沿う寸法）は、ロック片部４５の係合突起４７，４７の径に応じた寸法とされている。
【００５５】
また、これらガイド溝１３，２３の上下方向に沿う寸法は、図１（ａ）及び図３（ａ）に示すように、解錠状態と施錠状態との間を上下方向に移動するロック片部４５のガイドが可能なように適宜の寸法としてもよい。図例では、これらガイド溝１３，２３を、これらの上端が解錠状態（上方側位置）とされたロック片部４５の係合突起４７，４７と同高さとなるように設けた例を示している。また、これらガイド溝１３，２３を、これらの下端が施錠状態（下方側位置）とされたロック片部４５の係合突起４７，４７と同高さとなるように設けた例を示している。
また、これらガイド溝１３，２３の受入溝１３ａ，２３ａは、施錠状態（下方側位置）とされたロック片部４５の係合突起４７，４７と同高さに位置するように設けられている（図３（ａ）参照）。つまり、これら受入溝１３ａ，２３ａは、各ガイド溝１３，２３の下端に一連状に設けられている。本実施形態では、これらガイド溝１３，２３の受入溝１３ａ，２３ａを、ラッチ部材３０の軸心と上下方向で略一致した位置となるように設けた構成としている。また、これらガイド溝１３，２３の受入溝１３ａ，２３ａを、奥側内壁１８，２８の突部１８ａ，２８ａと上下方向で略一致した位置となるように設けた構成としている。
【００５６】
また、これら受入溝１３ａ，２３ａは、各ガイド溝１３，２３の下端部を吊元側に延出させるように設けられている。これら受入溝１３ａ，２３ａは、ガイド溝１３，２３の下端部において戸先側に向けて開口するように設けられている。また、これら受入溝１３ａ，２３ａは、ロック片部４５の係合突起４７，４７の受入が可能なように、上下方向に沿う溝幅寸法がロック片部４５の係合突起４７，４７の径に応じた寸法とされている。これら受入溝１３ａ，２３ａの吊元側への延出寸法は、施錠状態とされたロック片部４５に奥側内壁１８，２８側に押し付ける外力が作用した場合における係合突起４７，４７の破損等を抑制する観点等から適宜の寸法としてもよい。なお、受入溝１３ａ，２３ａを含むガイド溝１３，２３を、各ベース板部１２，２２を厚さ方向に貫通するように設けた態様に代えて、各ベース板部１２，２２の互いに向き合う内面側に凹溝状に設けた構成としてもよい。
【００５７】
上記のような構成により、ロック片部４５は、その上端側が上記した施解錠部４１の回転を伴い施解錠部４１のロック保持片部同様、施解錠連結部４２，４２回りに円弧を描くように変位（揺動）しながら、下端側の係合突起４７，４７がガイド溝１３，２３に沿ってガイドされて上下に変位する。また、施錠状態とされれば、図３に示すように、ロック片部４５の戸先側に向く面が突出状態とされたラッチ部材３０の被係合部３２の吊元側に向く面に当接または近接して対面する。また、この施錠状態では、ロック片部４５における奥側内壁１８，２８に対面される部位と奥側内壁１８，２８とが当接または近接して対面する。これにより、ラッチ部材３０の退入方向（吊元側）への移動、つまり、ハンドル６，６の開放側への操作が抑止され、施錠状態となる。
図例では、ロック片部４５の戸先側に向く面の概ね全体を、施錠状態においてラッチ部材３０の被係合部３２の吊元側に向く面に略平行とされる平坦面状とした例を示している。また、ロック片部４５の吊元側に向く面（後記する突片部４８，４８が設けられた部位を除く面）の概ね全体を、解錠状態においてこれらが対面される奥側内壁１８，２８に略平行とされる平坦面状とした例を示している（図１（ａ）参照）。
【００５８】
また、本実施形態では、図３に示すように、ロック片部４５に、施錠状態において、錠ケース１１，２１の突部１８ａ，２８ａの戸厚方向への移動を抑止するように、これら突部１８ａ，２８ａを受け入れる受入凹所４９を設けた構成としている。また、このロック片部４５の受入凹所４９の戸幅方向に沿う深さ寸法Ｄ２を、錠ケース１１，２１の突部１８ａ，２８ａの突出寸法Ｄ１よりも大としている。つまり、施錠状態とされたロック片部４５の受入凹所４９の吊元側に向く凹底面に、突部１８ａ，２８ａの先端面が当接しないように、受入凹所４９の深さ寸法Ｄ２を錠ケース１１，２１の突部１８ａ，２８ａの突出寸法Ｄ１よりも大としている。
【００５９】
また、本実施形態では、ロック片部４５の下端部に、吊元側及び上下方向両側に開口するように受入凹所４９を設けた構成としている。また、ロック片部４５の下端部に、この受入凹所４９の戸厚方向両側を区画するように、突片部４８，４８を設けた構成としている。つまり、これら突片部４８，４８の戸幅方向に沿う突出寸法が受入凹所４９の深さ寸法Ｄ２となり、これら突片部４８，４８の突出寸法（Ｄ２）を、錠ケース１１，２１の突部１８ａ，２８ａの突出寸法Ｄ１よりも大としている。
これら突片部４８，４８は、ロック片部４５の下端部から吊元側に向けて突出するように、かつ受入凹所４９を形成するように互いに戸厚方向に間隔を空けて設けられている。また、ロック片部４５が施錠状態とされれば、これら突片部４８，４８が上記した各ケース１１，２１の突部１８ａ，２８ａのベース板部１２，２２側に設けられた係合凹所にそれぞれ嵌め込まれるように挿入される構成とされている。つまり、ロック片部４５が施錠状態とされれば、これら突片部４８，４８によって錠ケース１１，２１の突部１８ａ，２８ａの互いに離れる方向となる戸厚方向外側への移動が抑止される。
【００６０】
また、これら突片部４８，４８の戸厚方向に向く互いに向き合う対向面、つまり、受入凹所４９の戸厚方向両側内面は、戸体２の戸厚方向両面に略平行な平坦面状とされている。また、突片部４８，４８の戸厚方向外側に向く面は、ロック片部４５の下方側部位の戸厚方向両面に一連状に設けられている。また、これら突片部４８，４８の戸厚方向に沿う幅寸法は、互いに略同寸法とされ、上記した錠ケース１１，２１の係合凹所の戸厚方向に沿う幅寸法と略同寸法とされている。
また、これら突片部４８，４８の突出方向の先端面４８ａ，４８ａは、ロック片部４５が施錠状態で、前カバー２０の戸先側面に略平行とされる平坦面状とされている。ロック片部４５が施錠状態とされれば、これら突片部４８，４８の先端面４８ａ，４８ａが各ケース１１，２１の係合凹所の底面を構成する奥側内壁１８，２８に当接または近接して対面される。図例では、突片部４８，４８の先端面４８ａ，４８ａの上端部に、ロック片部４５が施錠状態で、吊元側の斜め上方側を向く面取り部を設けた例を示している。
【００６１】
また、受入凹所４９の凹底面となる、ロック片部４５の下端部の突片部４８，４８間の吊元側に向く面は、ロック片部４５が施錠状態で、前カバー２０の戸先側面に略平行とされる平坦面状とされている。つまり、受入凹所４９の凹底面と錠ケース１１，２１の突部１８ａ，２８ａの先端面とは、ロック片部４５が施錠状態で、互いに略平行状とされ近接して対面する構成とされている。この受入凹所４９の深さ寸法Ｄ２及び錠ケース１１，２１の突部１８ａ，２８ａの突出寸法Ｄ１は、施錠状態とされたロック片部４５の受入凹所４９の凹底面に、突部１８ａ，２８ａの先端面が当接しないように適宜の寸法としてもよい。
【００６２】
また、本実施形態では、ロック片部４５における奥側内壁１８，２８に対面される部位４８ａ，４８ａと奥側内壁１８，２８とを、施錠状態とされたロック片部４５に奥側内壁１８，２８側に押し付ける外力が作用した際に、ロック片部４５の下方側への移動を抑制するように互いに当接される構成としている。本実施形態では、ロック片部４５の突片部４８，４８の先端面４８ａ，４８ａと係合凹所の底面を構成する奥側内壁１８，２８とを、互いに対面される部位としている。また、ロック片部４５の突片部４８，４８の先端面４８ａ，４８ａとこれらが当接される奥側内壁１８，２８とを、施錠状態において、前カバー２０の戸先側面に略平行とされる平坦面状としている。これにより、施錠状態とされたロック片部４５に奥側内壁１８，２８側に押し付ける外力が作用した際に、ロック片部４５の下方側への移動を抑制するように互いに当接される構成としている。
【００６３】
つまり、ロック片部４５の突片部４８，４８の先端面４８ａ，４８ａを、ロック片部４５が施錠状態で吊元側の斜め上方側を向く傾斜面としたり、奥側内壁１８，２８を戸先側の斜め下方側に向く傾斜面としたりすれば、施錠状態とされたロック片部４５に奥側内壁１８，２８側に押し付ける外力が作用した際に、ロック片部４５を押し下げる方向の分力が生じることとなる。上記構成によれば、互いに当接されるロック片部４５の突片部４８，４８の先端面４８ａ，４８ａと奥側内壁１８，２８との互いの反力が戸幅方向（水平方向）に沿う方向となり、ロック片部４５の下方側への移動が抑制される。なお、上記のような態様に代えて、ロック片部４５の突片部４８，４８の先端面４８ａ，４８ａを、ロック片部４５が施錠状態で吊元側の斜め下方側を向く傾斜面としたり、奥側内壁１８，２８を戸先側の斜め上方側に向く傾斜面としたりしてもよい。
【００６４】
錠ケース１１，２１の落下防止壁２９は、図５（ｂ）及び図６（ｂ）に示すように、本実施形態では、施解錠部４１の下方側への移動を抑止するように設けられている。また、落下防止壁２９を、図１（ａ）及び図３（ａ）に示すように、解錠状態とされた施解錠部４１のばね連結片部の下方側に位置し、かつ施錠状態とされた施解錠部４１のロック保持片部の下方側に位置するように設けた構成としている。この落下防止壁２９は、解錠状態及び施錠状態とされる施解錠部４１及びロック片部４５に干渉しないように設けられている。また、この落下防止壁２９は、施解錠部４１の意図しない下方側への移動に伴い下方側に移動されるロック片部４５によってラッチ部材３０の退入方向への移動が抑止されないように設けられている。この落下防止壁２９を、解錠状態とされたロック機構４０に対する錠ケース１１，２１の保持が解除されてロック機構４０が下方側に移動した際に、ロック片部４５が施錠状態とならないように施解錠部４１を支持する構成とされたものとしてもよい。また、この落下防止壁２９を、施錠状態とされたロック機構４０に対する錠ケース１１，２１の保持が解除されてロック機構４０が下方側に移動した際に、解錠不能となるまで移動しないように施解錠部４１を支持する構成とされたものとしてもよい。
【００６５】
また、この落下防止壁２９は、第１ケース１１のベース板部１２及び第２ケース２１のベース板部２２の両方または一方から戸厚方向に突出するように設けられている。本実施形態では、図１、図４及び図５（ｂ）に示すように、第１ケース１１のベース板部１２側には落下防止壁を設けずに、第２ケース２１のベース板部２２に落下防止壁２９を設けた構成としている。なお、このような態様に代えて、または加えて、第１ケース１１のベース板部１２に落下防止壁を設けた態様としてもよい。
また、図例では、この落下防止壁２９を、戸厚方向に見て、戸幅方向に長尺な略矩形状とした例を示しているが、このような態様に限られない。また、図例では、落下防止壁２９の吊元側端部の上下両側縁に、吊元側に向けて突出するような突部を設けた例を示しているが、このような態様に限られない。また、図例では、この落下防止壁２９を、略四角筒状とした例を示しているが、このような態様に限られない。
【００６６】
また、この落下防止壁２９の戸厚方向に沿う寸法や戸幅方向に沿う寸法は、上記のように下方側に移動する施解錠部４１を支持し、更なる下方側への移動の抑止が可能なように適宜の寸法としてもよい。
なお、上記したラッチ部材３０やハブ部材３４、スライド体３８、ロック機構４０は、樹脂製でもよく、金属製でもよく、樹脂と金属とを組み合わせた構成とされたものでもよい。また、上記のように別体とされて回転自在に連結されたロック機構４０の施解錠部４１及びロック片部４５は、それぞれ樹脂成形品としてもよい。
【００６７】
本実施形態に係るラッチ錠装置１０及びこれを備えた扉装置１は、上述のような構成としたことで、省部品化を図りながらも、動作不良を抑制することができる。
つまり、錠ケース１１，２１を、ロック機構４０を戸厚方向両側から挟むように保持する戸厚方向に分割された樹脂製の第１ケース１１と第２ケース２１とが互いに係合されて組み合わされた構成としている。従って、金属製の錠ケースとした場合と比べて、多くの締結要素を必要とせず、第１ケース１１と第２ケース２１とを組み合わせることができ、部品点数を少なくすることができ、また、軽量化を図ることができる。また、ロック機構４０を備えているので、施錠することができる。また、上記のように、第１ケース１１と第２ケース２１とを締結要素を用いずに組み付けられる構成とすれば、より省部品化を図ることができる。なお、このような態様に代えて、補助的にビス等の締結要素を用いて第１ケース１１と第２ケース２１とが組み付けられる構成としてもよい。
【００６８】
また、本実施形態では、ロック機構４０の保持が解除されるように、第１ケース１１と第２ケース２１とが変形した際に、ロック機構４０の下方側への移動を抑止する落下防止壁２９を錠ケース１１，２１に設けた構成としている。従って、例えば、過剰（異常）なハンドル６，６操作がなされてロック機構４０を保持する第１ケース１１と第２ケース２１とが戸厚方向に広がるように変形して第１ケース１１及び第２ケース２１によるロック機構４０の保持が解除された場合にも、ロック機構４０の下方側への移動を抑止することができる。これにより、解錠不能となって閉じ込められるようなことを抑制することができる。つまり、錠ケース１１，２１を樹脂製としているので、金属製の錠ケースとした場合と比べて、第１ケース１１と第２ケース２１とが戸厚方向に広がるように変形し易くなるが、落下防止壁２９を設けることで意図しない施錠や解錠不能状態となるようなことを抑止することができる。
また、上記のような施解錠部材９が施解錠部４１の施解錠連結部４２，４２に連結されていれば、ロック機構４０が下方側に移動し難くなるが、錠ケース１１，２１等の変形に伴い連結解除された場合にもロック機構４０の下方側への移動を抑止することができる。また、例えば、当該ラッチ錠装置１０を、施解錠部材９が設けられない戸体２に組み込んだ場合には、錠ケース１１，２１が変形すれば、ロック機構４０の保持がより解除され易くなることが考えられるが、ロック機構４０の下方側への移動を抑止することができる。つまり、例えば、ラッチ錠装置１０を、施錠機能を有した戸体２に組み込む場合と施錠機能を有さない戸体２に組み込む場合とで共通部品とした場合にも、ロック機構４０の下方側への移動を抑止することができる。
【００６９】
また、本実施形態では、施錠状態において第１ケース１１及び第２ケース２１の奥側内壁１８，２８の突部１８ａ，２８ａを受け入れるロック片部４５の受入凹所４９の深さ寸法Ｄ２を、突部１８ａ，２８ａの突出寸法Ｄ１よりも大としている。従って、ロック片部４５の受入凹所４９の深さ寸法Ｄ２を、突部１８ａ，２８ａの突出寸法Ｄ１よりも小としたものと比べて、第１ケース１１及び第２ケース２１の奥側壁部１７，２７の破損や変形を抑制することができる。これにより、第１ケース１１及び第２ケース２１の吊元側部位が戸厚方向に広がるようなことを抑制することができ、これらに保持されるロック機構４０が機能しなくなるようなことを抑制することができる。つまり、ロック片部４５の受入凹所４９の深さ寸法Ｄ２を、突部１８ａ，２８ａの突出寸法Ｄ１よりも小とした場合に、施錠状態においてハンドル６，６に開放側に過剰な操作がなされれば、受入凹所４９の凹底面が各突部１８ａ，２８ａに押し付けられることとなる。一方、本実施形態の構成とすれば、施錠状態においてハンドル６，６に開放側に過剰な操作がなされれば、ロック片部４５の受入凹所４９を区画する戸厚方向両側の突片部４８，４８が突部１８ａ，２８ａの戸厚方向外側の奥側内壁１８，２８に押し付けられることとなる。これにより、受入凹所４９の凹底面が各突部１８ａ，２８ａに押し付けられる構成と比べて、錠ケース１１，２１の戸厚方向両側を構成するベース板部１２，２２の吊元側端部に掛かる負荷（モーメント）を小さくすることができる。この結果、各ケース１１，２１の吊元側端部の破損や変形を効果的に抑制することができる。
【００７０】
また、本実施形態では、ロック片部４５の各係合突起４７，４７を受け入れる各ケース１１，２１のガイド溝１３，２３に、施錠状態とされたロック片部４５の各係合突起４７，４７の奥側内壁１８，２８側への移動を許容する受入溝１３ａ，２３ａを一連状に設けた構成としている。従って、施錠状態においてハンドル６，６に開放側に過剰な操作がなされてロック片部４５に奥側内壁１８，２８側に押し付ける外力が作用した際にも、各係合突起４７，４７が受入溝１３ａ，２３ａに受け入れられて奥側内壁１８，２８側に移動可能となる。これにより、このような受入溝１３ａ，２３ａを設けていないものと比べて、ロック片部４５の各係合突起４７，４７に掛かる負荷を低減することができ、これら係合突起４７，４７の破損や変形を抑制することができる。これにより、上下方向に変位されるロック片部４５の動作不良を抑制することができる。なお、このような受入溝１３ａ，２３ａをガイド溝１３，２３に設けないようにしてもよい。
【００７１】
また、本実施形態では、ロック片部４５における奥側内壁１８，２８に対面される部位（先端面）４８ａ，４８ａと奥側内壁１８，２８とを、施錠状態とされたロック片部４５に奥側内壁１８，２８側に押し付ける外力が作用した際に、ロック片部４５の下方側への移動を抑制するように互いに当接される構成としている。従って、施錠状態とされたロック片部４５に奥側内壁１８，２８側に押し付ける外力が作用した際に、互いの当接部位における反力にロック片部４５を下方側に移動させる分力が含まれるように互いに当接されるものと比べて、ロック片部４５の更なる下方側への移動を抑制することができる。これにより、ロック片部４５とこれを上下方向に変位させる施解錠部４１との連結部（４３，４６）や、ロック機構４０を保持する各ケース１１，２１の保持部１２ｂ，２２ｂの破損や変形を抑制することができ、ロック機構４０の動作不良を抑制することができる。なお、このような態様に代えて、ロック片部４５の突片部４８，４８の先端面４８ａ，４８ａを、ロック片部４５が施錠状態で吊元側の斜め上方側を向く傾斜面としたり、奥側内壁１８，２８を戸先側の斜め下方側に向く傾斜面としたりしてもよい。
【００７２】
また、ハンドル６，６を、過剰なハンドル６，６操作がなされて錠ケース１１，２１に破損や変形が生じる前に変形が生じるような強度とされたものとしてもよい。例えば、過剰なハンドル６，６操作がなされて錠ケース１１，２１に破損や変形が生じる前に、一方のハンドル６Ａの連結軸７に変形が生じるような強度とされたものとしてもよい。
また、本実施形態では、落下防止壁２９を設けた構成と、ロック片部４５の受入凹所４９の深さ寸法Ｄ２を突部１８ａ，２８ａの突出寸法Ｄ１よりも大とした構成と、を採用したが、いずれか一方のみの構成を採用するようにしてもよい。
また、本実施形態では、第１ケース１１及び第２ケース２１の両方に、天壁部１５，２５や底壁部１６，２６を設けた例を示しているが、このような態様に限られない。例えば、第２ケース２１に天壁部２５や底壁部２６を設けずに、第２ケース２１を蓋状とされたものとしてもよい。また、錠ケース１１，２１や、これに組み込まれるラッチ部材３０やハブ部材３４、ロック機構４０等の具体的構成は、上記したような態様に限られず、その他、種々の変形が可能である。
【符号の説明】
【００７３】
１      扉装置
２      戸体
３      収容凹所
１０    ラッチ錠装置
１１    第１ケース（錠ケース）
１３    ガイド溝
１３ａ  受入溝
１８    奥側内壁
１８ａ  突部
２１    第２ケース（錠ケース）
２３    ガイド溝
２３ａ  受入溝
２８    奥側内壁
２８ａ  突部
２９    落下防止壁
３０    ラッチ部材
３１    ラッチ頭部（戸幅方向の一端部）
３２    被係合部（戸幅方向の他端部）
４０    ロック機構
４５    ロック片部
４７    係合突起
４８ａ  先端面（ロック片部における奥側内壁に対面される部位）
４９    受入凹所
Ｄ１    突出寸法（突部の戸幅方向に沿う突出寸法）
Ｄ２    深さ寸法（ロック片部の凹所の戸幅方向に沿う深さ寸法）
【図１】
0006738620.tif 000002
【図２】
0006738620.tif 000003
【図３】
0006738620.tif 000004
【図４】
0006738620.tif 000005
【図５】
0006738620.tif 000006
【図６】
0006738620.tif 000007
【図７】
0006738620.tif 000008